(57)【要約】【課題】夜間時間帯に車両の室内灯が点灯・消灯のいずれの状態にあるかによって表示モニタの輝度を適切に切り替えるナビゲーション装置を提供する。【解決手段】取得した現在時刻が所定の夜間時間帯に属していた場合は、室内灯が点灯・消灯のいずれの状態にあるかを判定する。消灯の状態にある場合は、夜画面を表示するように表示モニタの輝度を制御する。点灯の状態にある場合は、夜画面と、取得した現在時刻が所定の昼間時間帯に属していた場合に表示される昼画面との間の範囲に含まれる輝度となるように制御する。【選択図】図２
2010060453.tif 000002
【特許請求の範囲】
【請求項１】
車両に搭載されるナビゲーション装置であって、
文字や図形等の画像を画面表示する表示装置と、
ユーザが各種設定を入力するための入力手段と
現在時刻を取得する時刻取得手段と、
前記車両内部の居住空間に対する照明機器の点灯スイッチの接続状態を判定する判定手段と、
前記現在時刻が夜間に属すると判定した場合に、前記接続状態が肯定判定であるか否定判定であるかに応じて前記画面表示の輝度を制御する制御手段とを備えることを特徴とするナビゲーション装置。
【請求項２】
請求項１に記載のナビゲーション装置において、
前記制御手段は、前記現在時刻が昼間に属すると判定した場合の前記画面表示の輝度を第１の輝度としたとき、前記現在時刻が夜間に属すると判定した場合に、前記接続状態が否定判定である場合の前記画面表示の輝度と、前記接続状態が肯定判定である場合の前記画面表示の輝度とを、それぞれ第２および第３の輝度とし、第１の輝度と第２の輝度の間の輝度となるように第３の輝度を制御することを特徴とするナビゲーション装置。
【請求項３】
請求項２に記載のナビゲーション装置において、
第３の輝度をユーザが指定する指定手段を備えることを特徴とするナビゲーション装置。
【請求項４】
請求項１に記載のナビゲーション装置において、
前記制御手段は、前記現在時刻が夜間に属すると判定した場合に、前記接続状態が肯定判定である場合の前記画面表示の輝度を、前記表示装置と前記照明機器との位置関係および／または前記照明機器の個数に基づいて制御することを特徴とするナビゲーション装置。
【請求項５】
請求項１に記載のナビゲーション装置において、
前記画面表示の色調を選定する色調選定手段をさらに備え、
前記色調選定手段は、前記現在時刻が昼間に属すると判定した場合の前記画面表示の色調を第１の色調としたとき、前記現在時刻が夜間に属すると判定した場合に、前記接続状態が否定判定である場合の前記画面表示の色調と、前記接続状態が肯定判定である場合の前記画面表示の色調とを、それぞれ第２および第３の色調とし、第３の色調が第１の色調と第２の色調の間の中間色調となるように選定することを特徴とするナビゲーション装置。
【請求項６】
請求項１に記載のナビゲーション装置において、
前記車両の走行速度を検出する検出手段をさらに備え、
前記走行速度が所定値以下の場合に前記制御手段が動作することを特徴とするナビゲーション装置。
【発明の詳細な説明】
【技術分野】
【０００１】
本発明は、昼画面と夜画面を切り替えて表示するナビゲーション装置に関する。
【背景技術】
【０００２】
明るい色調の表示モードによる昼画面と、暗い色調の表示モードによる夜画面とを用意し、自車両のスモールランプが点灯しているか否かを判定して、上記２つの表示モードを切り替える車載用ナビゲーション装置が知られている。このような車載用ナビゲーション装置では、スモールランプが点灯していれば車内が暗いと判定して夜画面表示モードとし、それ以外の場合は昼画面表示モードとすることで、画面の視認性を向上させていた。
【０００３】
しかしながら、昼間の明るい状況であっても、事故防止のため、自車両のスモールランプを点灯させたまま走行する場合がある。このような運転を行う場合、スモールランプの点灯によって車内の明るさを判定することはできない。これに対して、ＧＰＳ（Ｇｌｏｂａｌ  Ｐｏｓｉｔｉｏｎｉｎｇ  Ｓｙｓｔｅｍ）信号に含まれている現在時刻を基に、現在昼間なのか夜間なのかを判定し、判定結果に応じて昼画面と夜画面を切り替えるナビゲーションシステムが公知である（特許文献１）。
【０００４】
【特許文献１】特開平５−１８７６７号公報
【発明の開示】
【発明が解決しようとする課題】
【０００５】
しかし、特開平５−１８７６７号公報に開示されているナビゲーション装置利用においては、昼間でもトンネル内走行中のために車内が暗い環境にある、または夜間でも室内灯が点灯しているために車内が明るい環境にある場合は、ナビゲーション装置の画面を視認しづらい。そのような場合には、従来のナビゲーションシステムでは、画面切り替えを適切に行うことができず、手動で画面表示を設定する必要がある。
【０００６】
本発明によれば、夜間におけるナビゲーション装置の表示画面の輝度を、室内灯の点灯に応じて適切に制御することができる。
【課題を解決するための手段】
【０００７】
請求項１の発明に係るナビゲーション装置は、車両に搭載されるナビゲーション装置であって、文字や図形等の画像を画面表示する表示装置と、ユーザが各種設定を入力するための入力手段と現在時刻を取得する時刻取得手段と、車両内部の居住空間に対する照明機器の点灯スイッチの接続状態を判定する判定手段と、現在時刻が夜間に属すると判定した場合に、接続状態が肯定判定であるか否定判定であるかに応じて画面表示の輝度を制御する制御手段とを備えることを特徴とする。
【発明を実施するための最良の形態】
【０００８】
−−−第１の実施の形態−−−
図面を用いて、本発明の一実施の形態によるナビゲーション装置について説明する。図１は、本実施形態におけるナビゲーション装置１を示すブロック図である。ナビゲーション装置１は、制御回路１１、ＲＯＭ１２、ＲＡＭ１３、現在地検出装置１４、画像メモリ１５、表示モニタ１６、スピーカ１７、入力装置１８、データ記憶部２０、ディスクドライブ２１および照度センサ２３を有している。ディスクドライブ２１には、地図データが記憶されたＤＶＤ−ＲＯＭ２２が装填されている。
【０００９】
制御回路１１は、マイクロプロセッサ及びその周辺回路からなり、ＲＡＭ１３を作業エリアとしてＲＯＭ１２に格納された制御プログラムを実行して各種の制御を行う。この制御回路１１がＤＶＤ−ＲＯＭ２２に記憶された地図データに基づいて所定の経路探索処理を行う。そして、その処理結果が推奨経路として表示モニタ１６に表示される。
【００１０】
現在地検出装置１４は車両の現在地を検出する装置である。現在地検出装置１４は、振動ジャイロ１４ａ、車速センサ１４ｂ、ＧＰＳ（Ｇｌｏｂａｌ  Ｐｏｓｉｔｉｏｎｉｎｇ  Ｓｙｓｔｅｍ）センサ１４ｃなどからなる。振動ジャイロ１４ａは、車両の進行方向を検出する。車速センサ１４ｂは、車速を検出する。ＧＰＳセンサ１４ｃは、ＧＰＳ衛星からのＧＰＳ信号を検出する。ＧＰＳ信号は現在時刻を含んでいる。ナビゲーション装置１は、この現在地検出装置１４により検出された車両の現在地に基づいて、地図の表示範囲や経路探索開始点などを決定するとともに、地図上にその現在地を表示する。
【００１１】
画像メモリ１５は、表示モニタ１６に表示するための画像データを格納する。この画像データは道路地図描画用データや各種の図形データからなり、それらはＤＶＤ−ＲＯＭ２２に記憶された地図データに基づいて、適宜生成される。ナビゲーション装置１は、このようにして生成された画像データを用いることによって地図表示など行うことができる。
【００１２】
ディスクドライブ２１は、ＤＶＤ−ＲＯＭ２２から地図データを読み出す。地図データは、地図表示用データ、経路探索用データなどを含む。地図表示用データおよび経路探索用データには、地図データに格納されている道路のリンク情報およびノード情報が含まれている。地図表示用データは、広域から詳細まで複数の縮尺の地図データを有し、ユーザの要求にしたがって、表示地図の縮尺を変更することができる。また、地図データには、トンネルデータも含まれる。トンネルデータは、トンネル名称、位置（入口と出口）、全長などを含む。なお、ＤＶＤ−ＲＯＭ２２以外の他の記録メディア、たとえばＣＤ−ＲＯＭやハードディスクなどより地図データを読み出してもよい。
【００１３】
照度センサ２３は、ナビゲーション装置１の周辺、すなわち車内の明るさを検出して、数値化するセンサである。なお、車内の明るさは昼夜における車両周囲の明るさに依存する。ナビゲーション装置１は、照度センサ２３によって得られた明るさを用いて、表示モニタ１６へ表示される画面を昼画面にするか夜画面にするかを決定する。
【００１４】
室内灯監視回路２４は、車内の室内灯の点灯・消灯の別を制御回路１１が検出するための回路である。室内灯監視回路２４は、室内灯の点灯・消灯を制御するスイッチの出力電圧信号を、制御回路１１の端子へ入力させる。ナビゲーション装置１は、室内灯監視回路２４によって得られた電圧信号を用いて、表示モニタ１６へ表示される画面を昼画面にするか夜画面にするかを決定する。なお、室内灯は、たとえば、前席運転席側、前席助手席側、中央、後席等、通常、車両内の複数個所に設置されている。このような場合において、室内灯監視回路２４を室内灯毎に設け、各室内灯の点灯・消灯の別を検出できることが好ましい。
【００１５】
表示モニタ１６は、地図データなどの各種情報に基づいて、自車位置付近の道路地図などの各種情報を画面表示としてユーザに提供する。スピーカ１７は、各種入力操作をユーザに指示したり、経路誘導したりするための音声を出力する。入力装置１８は、ユーザが各種コマンドを設定するための入力スイッチを有し、操作パネルやリモコンなどによって実現される。ユーザは、表示モニタ１６の表示画面の指示やスピーカ１７からの音声指示に従って入力装置１８を手動で操作することにより、目的地を選択して目的地を設定する。
【００１６】
目的地がユーザにより設定されると、ナビゲーション装置１はＧＰＳセンサ１４ｃにより検出された現在地を出発地として目的地までの経路演算を所定のアルゴリズムに基づいて行う。このようにして求められた経路（以下、推奨経路という）は、表示形態、たとえば表示色などを変えることによって、ほかの道路とは区別して画面表示される。これにより、ユーザは地図上の推奨経路を画面上で認識することができる。また、ナビゲーション装置１は、推奨経路に従って車両が走行できるように、ユーザに対して画面や音声などによる進行方向指示を行い、車両を経路誘導する。
【００１７】
次に、ナビゲーション装置１における、周辺状況に応じた画面表示モードの切り替え制御について説明する。ナビゲーション装置１は、車両周辺が暗いときにはコントラストが弱い夜画面表示モードにより、車両周辺が明るいときにはコントラストが強い昼画面表示モードにより表示モニタ１６を駆動する。以下、車両周辺が暗いのか明るいのかを判定する方法を説明する。なお、便宜上、昼画面表示モードによる表示モニタ１６上の画面を昼画面、夜画面表示モードによる表示モニタ１６上の画面を夜画面と呼ぶ、。
【００１８】
ナビゲーション装置１は、表示する画面を決定するために、まず現在時刻を取得する。取得した現在時刻が所定の夜間時間帯に属していれば、夜画面表示処理を実行する。取得した現在時刻が所定の昼間時間帯に属していた場合は、さらに、照度センサ２３から明るさを取得する。明るさが所定のしきい値以上であれば、昼画面を表示する。
【００１９】
現在時刻が昼間時間帯に属しており、かつ照度センサ２３によって得られた明るさが所定のしきい値未満であった場合、ナビゲーション装置１は、車両の現在位置ならびに地図データに基づいて、昼画面か夜画面かを決定する。車両が例えばトンネルの中などの、車両周囲が暗いことが明らかである場所に位置している場合は、夜画面を表示し、そうでなければ昼画面を表示する。
【００２０】
現在時刻が夜間時間帯に属していた場合、ナビゲーション装置１は、室内灯監視回路２４を介して得られた室内灯の点灯・消灯のいずれであるかに基づいて、昼画面か夜画面かを決定する。室内灯が点灯している場合は昼画面を表示し、そうでなければ夜画面を表示する。
【００２１】
図２は、トンネルを含む道路において、ナビゲーション装置１が表示画面を決定する手順を説明するための図である。図２において、直線は道路を表し、四角形（３１，３２，３３，３５）はトンネルを表す。
【００２２】
まず、昼間時間帯においてトンネル３１を通過する場合を考える。トンネルに入ると車両周辺の明るさは低下するため、表示モニタ１６には夜画面を表示するのが望ましい。次に、トンネル３１よりも短いトンネル３２を考える。このように、短いトンネルを通過する場合、ナビゲーション装置１は、所定の距離を下回る長さのトンネルにおいては、明るさが所定値以下であったとしても、昼画面のまま表示を切り替えない。
【００２３】
次に、トンネル３３およびトンネル３５を考える。これら２つのトンネルの間には、ごく短い道路３４が存在する。この道路３４を通過する場合も、昼画面と夜画面との切り替えが頻繁に発生する。そこで、前述と同様に、ナビゲーション装置１は、トンネル同士の間に存在する道路の長さが所定の距離を下回る場合には、明るさが所定値以上であったとしても、夜画面のまま表示を切り替えない。
【００２４】
図３は、ナビゲーション装置１による、画面表示の切り替え処理を示すフローチャートである。この処理は、一定周期ごとに、ナビゲーション装置１によって繰り返し実行される。まずステップＳ１では、画面履歴の初期値として「昼画面」を設定する。ステップＳ２では、ＧＰＳセンサ１４ｃが受信したＧＰＳ信号から、現在時刻を取得する。なお、ナビゲーション装置１にタイマーを持たせ、それによって現在時刻を取得してもよい。
【００２５】
ステップＳ３では、ステップＳ２で取得した現在時刻が、所定の夜間時間帯に属するか否かを判定する。現在時刻が夜間時間帯に属している場合、ステップＳ３により肯定判定がなされ、ステップＳ４へ進む。ステップＳ４は、夜画面表示のサブルーチン処理であり、図４の説明にて後述する。ステップＳ４が完了すると、ステップＳ２へ戻る。他方、ステップＳ３において否定判定がなされた場合は、ステップＳ６へ進む。所定の夜間時間帯は、例えば１８時〜６時のように、予め定義する。地域、季節に応じて夜間時間帯を変更するのが好ましい。
【００２６】
ステップＳ６では、照度センサ２３によって車両周辺の照度を取得する。ステップＳ７では、ステップＳ６で取得した照度が所定のしきい値以上であるか否かを判定する。照度がしきい値以上であった場合、ステップＳ７により肯定判定がなされ、ステップＳ８へ進む。他方、ステップＳ７において否定判定がなされた場合は、ステップＳ１４へ進む。
【００２７】
ステップＳ８では、現在地検出装置１４によって車両の現在地情報を取得する。ステップＳ９では、車両が位置している道路が、所定の距離よりも長い２つのトンネルの間であり、かつトンネル間の長さが、所定の距離よりも短いか否かを判定する。ステップＳ９により否定判定がなされると、ステップＳ１０へ進む。ステップＳ１０では、画面を「昼画面」に設定し、ステップＳ１１では、画面履歴を「昼画面」に設定してステップＳ２へ戻る。他方、ステップＳ９により肯定判定がなされた場合は、ステップＳ１２へ進む。ステップＳ１２は、ステップＳ４と同じ夜画面表示のサブルーチン処理である。ステップＳ１２が完了すると、ステップＳ２へ戻る。
【００２８】
ステップＳ１４では、現在地検出装置１４によって車両の現在地情報を取得する。ステップＳ１５では、現在地情報と地図データに基づいて、車両が現在トンネル内にいるか否かを判定する。車両がトンネルの中にいる場合、ステップＳ１５により肯定判定がなされ、ステップＳ１６へ進み、トンネルの長さを調べる。他方、ステップＳ１５において否定判定がなされた場合は、ステップＳ１２へ進む。
【００２９】
ステップＳ１６では、車両が位置しているトンネルの長さを調べ、所定の距離よりも短いか否かを判定する。トンネルの長さが所定の距離よりも短い場合、ステップＳ１６により肯定判定がなされ、ステップＳ１７へ進む。ステップＳ１７では、画面を画面履歴として保存されているものに設定し、ステップＳ２へ戻る。以上のようにして、表示モニタ１６の表示内容が決定される。
【００３０】
図４は、図３のステップＳ４およびステップＳ１２に該当する夜間画面処理に対応するサブルーチン処理を示すフローチャートである。この処理は、前述したステップＳ３またはステップＳ９における肯定判定、あるいはステップＳ１５またはステップＳ１６における否定判定を契機として開始される。なお、図４は、後述する図５のステップＳ２７およびＳ３５に該当する夜間画面処理に対応するサブルーチン処理をも示すフローチャートである。この場合は、後述するステップＳ２３またはステップＳ３０における肯定判定、あるいはステップＳ２６またはステップＳ３２における否定判定を契機として開始される。
【００３１】
ステップＳ４０１では、室内灯が点灯しているか否かを判定する。室内灯監視回路２４を介して室内等が点灯していることを検出した場合、ステップＳ４０１により肯定判定がなされ、ステップＳ４０２へ進む。ステップＳ４０２では、画面を「指定輝度画面」に設定し、ステップＳ４０３では、画面履歴を「指定輝度画面」に設定して前述したステップＳ２または後述する図５のステップＳ２２へ戻る。なお、指定輝度は、昼画面と夜画面の中間の輝度を目安とし、ユーザが指定する輝度であることが好ましい。
【００３２】
上述した第１の実施の形態によるナビゲーション装置によれば、次の作用効果が得られる。
（１）現在地検出装置１４によって得られた車両の現在位置と、ＤＶＤ−ＲＯＭ２２に格納されている地図データと、照度センサ２３によって得られた照度値と、ＧＰＳ信号から取得した現在時刻とを用いて、昼画面と夜画面の切り替えを行うようにした。これにより、車内の明るさに応じて適切な画面が選択され、視認性が向上する。
（２）短いトンネルや、２つの長いトンネルの間に位置する短い区間を走行する際には、昼画面と夜画面の切り替えを行わないようにした。これにより、短い間隔で画面の切り替えが繰り返されることがなくなり、視認性がさらに向上する。
（３）夜間時間帯に室内等を点灯している場合は、指定輝度画面が自動的に選択されるようにした。これにより、昼画面では明る過ぎて、夜画面では暗過ぎるということがなくなり、視認性が向上する。
【００３３】
上述した第１の実施の形態では、表示画面の切り替え処理が、現在時刻、照度、位置情報、の順で決定されていた。以下に詳述する第２の実施の形態では、現在時刻、位置情報、照度の順で、表示画面の内容を決定する。
【００３４】
−−−第２の実施の形態−−−
図面を用いて、本発明の一実施の形態によるナビゲーション装置について説明する。第２の実施の形態におけるナビゲーション装置は、第１の実施の形態と同様のブロック構成を備える。第１の実施の形態におけるナビゲーション装置１との違いは、表示画面の切り替え処理の内容のみとなっている。
【００３５】
図５は、第２の実施の形態におけるナビゲーション装置による、画面表示の切り替え処理を示すフローチャートである。この処理は、一定周期ごとに、ナビゲーション装置によって繰り返し実行される。まずステップＳ２１では、画面履歴の初期値として「昼画面」を設定する。ステップＳ２２では、ＧＰＳセンサ１４ｃが受信したＧＰＳ信号から、現在時刻を取得する。前述の通り、ナビゲーション装置１にタイマーを持たせ、それによって現在時刻を取得してもよい。
【００３６】
ステップＳ２３では、ステップＳ２２で取得した現在時刻が、所定の夜間時間帯に属するか否かを判定する。現在時刻が夜間時間帯に属している場合、ステップＳ２３により肯定判定がなされ、ステップＳ３５へ進む。ステップＳ３５は、夜画面表示のサブルーチン処理であり、第１の実施の形態における図４に示したサブルーチン処理と同じである。ステップＳ３５が完了すると、ステップＳ２２へ戻る。他方、ステップＳ２３において否定判定がなされた場合は、ステップＳ２４へ進む。
【００３７】
ステップＳ２４では、現在地検出装置１４によって車両の現在地情報を取得する。ステップＳ２５では、現在地情報と地図データに基づいて、車両が現在トンネル内にいるか否かを判定する。車両がトンネルの中にいる場合、ステップＳ２５により肯定判定がなされ、ステップＳ２６へ進み、トンネルの長さを調べる。他方、ステップＳ２５において否定判定がなされた場合は、ステップＳ３０へ進み、車両が位置している道路を調べる。
【００３８】
ステップＳ２６では、車両が位置しているトンネルの長さを調べ、所定の距離よりも短いか否かを判定する。トンネルの長さが所定の距離よりも短い場合、ステップＳ２６により肯定判定がなされ、ステップＳ２９に進む。ステップＳ２９では、画面を画面履歴として保存されているものに設定し、ステップＳ２２へ戻る。画面履歴には、現在表示されている画面が保存されているので、表示モニタ１６の表示内容は、ステップＳ２２から始まる処理の実行前から変化しない。他方、ステップＳ２６において否定判定がなされた場合は、ステップＳ２７へ進む。ステップＳ２７は、夜画面表示のサブルーチン処理であり、ステップＳ３５と同じサブルーチン処理である。ステップＳ２７が完了すると、ステップＳ２２へ戻る。
【００３９】
ステップＳ３０では、車両が位置している道路が、所定の距離よりも長い２つのトンネルの間であり、かつトンネル間の長さが、所定の距離よりも短いか否かを判定する。ステップＳ３０により肯定判定がなされると、ステップＳ３５へ進む。他方、ステップＳ３０において否定判定がなされた場合は、ステップＳ３１へ進む。
【００４０】
ステップＳ３１では、照度センサ２３によって車両周辺の照度を取得する。ステップＳ３２では、ステップＳ３１で取得した照度が所定のしきい値以上であるか否かを判定する。照度がしきい値以上であった場合、ステップＳ３２により肯定判定がなされ、ステップＳ３３へ進む。ステップＳ３３では、画面を「昼画面」に設定し、ステップＳ３４では、画面履歴を「昼画面」に設定してステップＳ２へ戻る。他方、ステップＳ３２において否定判定がなされた場合は、ステップＳ３５へ進む。以上のようにして、表示モニタ１６の表示内容が決定される。
【００４１】
上述した第２の実施の形態によるナビゲーション装置によれば、第１の実施の形態によるナビゲーション装置で得られる作用効果と同等の作用効果が得られる。
【００４２】
次のような変形も本発明の範囲内である。
（１）周囲が暗いことが明らかである地形や建造物についても、トンネルと同様に扱ってよい。
（２）現在時刻、現在位置、照度に加えて、気象情報を加味した走行環境判定を行ってもよい。例えば、雨が降っていれば、車両周囲は暗くなっている可能性が高い、などである。
（３）夜間時間帯における指定輝度画面表示に関して、ナビゲーション装置１が複数個の表示モニタ１６を含む場合がある。例えば、前席用表示モニタ１６と後席用表示モニタ１６が同一の車両に設置される場合、個々の表示モニタ１６において指定輝度画面表示を実行しても良い。すなわち、前席の室内灯（運転席側または助手席側）が点灯したとき、距当該室内灯からの距離が近い前席用表示モニタ１６においては指定輝度画面表示を実行し、同時に、当該室内灯からの距離が遠い後席用表示モニタ１６においては夜画面表示を実行する。
（４）室内灯が複数個ある場合、点灯している室内灯の個数、あるいは点灯している室内灯の個数と表示モニタ１６からの距離の組合せによって、表示モニタ１６付近の明るさが変化するため、夜間時間帯における指定輝度画面表示に関して、指定輝度のレベルを複数個設けて切り替えても良い。例えば、以下のようにする。ただし、表示モニタ１６は車両内の前席に設置されているものとし、レベル１から４に向かって昼画面の輝度に近づく。
レベル１：中央の室内灯のみが点灯時の指定輝度
レベル２：前席運転席側・助手席側のいずれか一方の室内灯のみが点灯時の指定輝度
レベル３：中央と前席の室内灯（運転席側または助手席側）が点灯時の指定輝度
レベル４：中央と前席運転席側・助手席側の全ての室内灯が点灯時の指定輝度
（５）通常のナビゲーション装置の地図画面表示においては、昼画面と夜画面とで輝度だけでなく着色表示をも切り替えているため、夜間時間帯における指定輝度画面用の着色表示を設けても良い。たとえば、昼画面と夜画面とで用いられている色に対する中間色を採用する。あるいは、昼画面、夜画面、指定輝度画面の各表示における着色をユーザ入力によって設定できるようにしても良い。
（６）夜間時間帯において、室内灯を点灯しながらナビゲーション装置１の画面表示を視認する場合、車両は通常停車していると考えられる。したがって、車速センサからの入力によって、所定の速度以下で走行しているか、または停車していることを検出した場合にのみ、室内灯の点灯時を考慮した指定輝度画面を表示するようにしても良い。
【００４３】
本発明の特徴を損なわない限り、本発明は上記実施の形態に限定されるものではなく、本発明の技術的思想の範囲内で考えられるその他の形態についても、本発明の範囲内に含まれる。
【００４４】
なお、以上説明した実施の形態におけるナビゲーション装置の各構成要素と特許請求の範囲の各構成要素との対応関係は以下の通りである。本発明の入力手段は入力装置１８に対応し、時刻取得手段はＧＰＳセンサ１４ｃに対応し、判定手段は室内灯監視回路２４および制御回路１１に対応し、制御手段は制御回路１１に対応する。なお、以上の対応関係の説明は一例であり、権利解釈に際して何ら拘束されるものではない。
【図面の簡単な説明】
【００４５】
【図１】第１の実施形態におけるナビゲーション装置１を示すブロック図である。
【図２】トンネルを含む道路において、ナビゲーション装置１が表示画面を決定する手順を説明するための図である。
【図３】第１の実施形態におけるナビゲーション装置１による、画面表示の切り替え処理を示すフローチャートである。
【図４】第１の実施形態におけるナビゲーション装置１による、夜間画面処理に対応するサブルーチン処理を示すフローチャートである。
【図５】第２の実施形態におけるナビゲーション装置による、画面表示の切り替え処理を示すフローチャートである。
【符号の説明】
【００４６】
１  ナビゲーション装置
１１  制御回路
１４  現在地検出装置
１６  表示モニタ
２３  照度センサ
２４  室内灯監視回路
【図１】
2010060453.tif 000003
【図２】
2010060453.tif 000004
【図３】
2010060453.tif 000005
【図４】
2010060453.tif 000006
【図５】
2010060453.tif 000007